(57)【要約】【課題】エレベータのドアスイッチに水滴が掛からないように覆うドアスイッチ用防滴カバーを提供する。【解決手段】ドアスイッチ１０のうち可動部分１２および静止部分１４を可動部分１２のストローク範囲にわたって全体的に覆う、ドアのマシンベースに取り付けられる防滴カバー２０を備えることを特徴とする。これにより、ドアスイッチ１０の接点部分に水滴が付着することを確実に防止できる。【選択図】図１
2010208728.tif 000002
【特許請求の範囲】
【請求項１】
エレベータのドアが開放したことを検出するドアスイッチを覆う防滴カバーであって、
前記ドアスイッチのうち前記ドアの可動側と一体に変位する可動部分と前記ドアの静止側に固定される静止部分とを、前記可動部分のストローク範囲にわたって全体的に覆う防滴カバーを備えることを特徴とするエレベータドアスイッチの防滴カバー。
【請求項２】
エレベータのドアが開放したことを検出するドアスイッチを覆う防滴カバーであって、
前記ドアスイッチのうち前記ドアの可動側と一体に変位する可動部分を覆う、前記ドアの可動側に取り付けられる可動側の防滴カバーと、
前記ドアスイッチのうち前記ドアの静止側に固定される静止部分を覆う、前記ドアの静止側に取り付けられる静止側の防滴カバーと、
を備えることを特徴とするエレベータドアスイッチの防滴カバー。
【請求項３】
前記ドアスイッチの可動部分と静止部分とが互いに接近したときに、前記可動側の防滴カバーおよび前記静止側の防滴カバーのうちいずれか一方がいずれか他方の内側に入り込むようにそれらの形状が設定されていることを特徴とする請求項２に記載したエレベータドアスイッチの防滴カバー。
【請求項４】
前記可動側の防滴カバーおよび前記静止側の防滴カバーは、前記ドアスイッチの静止部分に対して前記可動部分がオーバーストロークして衝突する前に互いに衝突するように構成されていることを特徴とする請求項２乃至５のいずれかに記載したエレベータドアスイッチの防滴カバー。
【請求項５】
前記可動側の防滴カバーおよび前記静止側の防滴カバーは、その開口の上縁から入り込んだ水滴がドアスイッチの接点部分に降りかからないように、前記接点部分に対する前記上縁の前後上下の位置が定められていることを特徴とする請求項２または３に記載したエレベータドアスイッチの防滴カバー。
【請求項６】
前記可動側の防滴カバーおよび前記静止側の防滴カバーは、上方から降りかかった水滴をその開口から遠ざかる側に受け流すための傾斜面を前記開口の上部に有していることを特徴とする請求項２または３に記載したエレベータドアスイッチの防滴カバー。
【請求項７】
前記防滴カバーは、上方から降りかかった水滴を下方に受け流すための第２の傾斜面をその上部に有していることを特徴とする請求項１乃至６のいずれかに記載したエレベータドアスイッチの防滴カバー。
【請求項８】
前記防滴カバーは、電気配線を挿通するための挿通孔を有していることを特徴とする請求項１乃至７のいずれかに記載したエレベータドアスイッチの防滴カバー。
【請求項９】
前記防滴カバーは、前記ドアの可動側あるいは静止側に着脱自在に取り付けるための係合部を有していることを特徴とする請求項１乃至８のいずれかに記載したエレベータドアスイッチの防滴カバー。
【請求項１０】
前記防滴カバーは、前記ドアスイッチの静止部分に対する前記可動部分のストローク位置を確認するための覗き孔を有していることを特徴とする請求項１乃至９のいずれかに記載したエレベータドアスイッチの防滴カバー。
【請求項１１】
前記防滴カバーは、透明な材料から製造されることを特徴とする請求項１乃至１０のいずれかに記載したエレベータドアスイッチの防滴カバー。
【発明の詳細な説明】
【技術分野】
【０００１】
本発明は、エレベータドアスイッチの防滴カバーに関し、より詳しくは、ドアスイッチに接点に水滴等が付着して作動不良とならないように改良する技術に関する。
【背景技術】
【０００２】
従来、エレベータのかごドアおよび乗場ドアにはそれぞれドアスイッチが設けられ、ドアが開いたことを検出するとエレベータの運転を直ちに停止させて乗客の安全を図るようになっている。
【０００３】
ここで図１１を参照し、かごドアのドアスイッチ取付構造について概説すると、乗りかごの上部に固設されたドアマシンベース１には、左右方向に水平に延びるハンガレール２が固定されている。
そして、左右両開きのかごドア側３Ｌ，３Ｒを吊り下げるドアハンガ４Ｌ，４Ｒには、ハンガレール２の上を転動するハンガローラ５が回転自在に支持されていて、かごドア３Ｌ，３Ｒがそれぞれ図示左右方向に開閉するようになっている。
【０００４】
また、ドアマシンベース１に設けられている図示されない駆動プーリおよび従動プーリには、無端状の駆動ベルト６が巻き回されている。
そして、その駆動ベルト６のうち上段側の部分６ａには右側のハンガブラケット７を介して右側のかごドア３Ｒが接続され、かつ下段側の部分６ｂには左側のハンガブラケット８を介して左側のかごドア３Ｌが接続されている。
これにより、図示されないドア駆動モータを作動させることによって左右のかごドア３Ｌ，３Ｒを開閉することができる。
【０００５】
一方、ドアマシンベース１と左右のハンガブラケット７，８との間には、左右一対のドアスイッチ１０Ｌ，１０Ｒがそれぞれ介装され、左右のかごドア３Ｌ，３Ｒが開いたことを検出するようになっている。
これらのドアスイッチ１０Ｌ，１０Ｒはその構造が同一であるため、図１２を参照して左側のドアスイッチ１０Ｒについて説明すると、このドアスイッチ１０Ｒは、ハンガブラケット（可動側）７にボルトＢで締結されているブラケット１１によって支持された可動部分１２と、ドアマシンベース（静止側）１にボルトＢで締結されたブラケット１３によって支持された静止部分１４とを有している。
【０００６】
これにより、かごドア３Ｌが閉じると、図１３に示したように可動部分１２の棒状短絡端子１２ａ，１２ｂと静止部分１４の接点１５ａ，１５ｂとが接触し、ばね電極１６ａ，１６ｂ間の図示されない電気回路が閉じるため、エレベータの運転が可能な状態となる。
これに対して、かごドア３Ｌが開くと、可動部分１２の棒状棒状短絡端子１２ａ，１２ｂと静止部分１４の接点１５ａ，１５ｂと離間し、ばね電極１６ａ，１６ｂ間の図示されない電気回路が開くため、エレベータの運転は直ちに停止される。
【発明の開示】
【発明が解決しようとする課題】
【０００７】
ところで、上述した従来のドアスイッチ１０Ｌ，１０Ｒは、ハンガブラケット７，８やドアマシンベース１等に取り付けられて昇降路内に露出した状態となっている。
これにより、雨水や乗場ホールを清掃するために散布した水等が昇降路の内部に入り込んでドアスイッチ１０Ｌ，１０Ｒに掛かると、接点１５ａ，１５ｂに腐食が発生し、作動不良となるおそれがある。
【０００８】
そこで本発明の目的は、上述した従来技術が有する問題点を解消し、ドアスイッチに水等の液体が掛からないように覆うドアスイッチ用の防滴カバーを提供することにある。
【課題を解決するための手段】
【０００９】
上記の課題を解決するための請求項１に記載した手段は、
エレベータのドアが開放したことを検出するドアスイッチを覆う防滴カバーであって、前記ドアスイッチのうち前記ドアの可動側と一体に変位する可動部分と前記ドアの静止側に固定される静止部分とを、前記可動部分のストローク範囲にわたって全体的に覆う防滴カバーを備えることを特徴とする。
すなわち、ドアスイッチの可動部分および静止部分をそのストローク範囲の全体にわたって防滴カバーで覆うので、ドアスイッチの接点部分に水滴等が付着することを確実に防止できる。
【００１０】
また、上記の課題を解決するための請求項２に記載した手段は、
エレベータのドアが開放したことを検出するドアスイッチを覆う防滴カバーであって、
前記ドアスイッチのうち前記ドアの可動側と一体に変位する可動部分を覆う、前記ドアの可動側に取り付けられる可動側の防滴カバーと、
前記ドアスイッチのうち前記ドアの静止側に固定される静止部分を覆う、前記ドアの静止側に取り付けられる静止側の防滴カバーと、を備えることを特徴とする。
すなわち、ドアスイッチの可動部分および静止部分をそれぞれ個別に覆う構造であるため、その周囲に存在するドアの可動部分との干渉を回避しつつ、ドアスイッチの接点部分に水滴等が付着することを確実に防止できる。
【００１１】
このとき、請求項３に記載したように、請求項２に記載したエレベータドアスイッチの防滴カバーにおける可動側の防滴カバーおよび静止側の防滴カバーは、ドアの開閉に伴って互いに接近したときに、そのいずれか一方がいずれか他方の内側に入り込むようにそれらの形状を設定することができる。
これにより、ドアスイッチの可動部分と静止部分とが接近したときに、可動側の防滴カバーと静止側の防滴カバーが互いに干渉することがない。
【００１２】
また、請求項４に記載したように、前記可動側の防滴カバーおよび前記静止側の防滴カバーは、前記ドアスイッチの静止部分に対して前記ドアスイッチの可動部分がオーバーストロークして衝突する前に、互いに衝突するように構成することができる。
これにより、例えばドア開閉ロープが切断したことによってドアスイッチの可動部分がオーバーストロークし、ドアスイッチの静止部分に衝突するよりも前に、可動側の防滴カバーと静止側の防滴カバーとが互いに衝突するから、ドアスイッチの可動部分と静止部分が互いに衝突して破損することを確実に防止することができる。
【００１３】
また、請求項５に記載したように、前記可動側の防滴カバーおよび前記静止側の防滴カバーは、その開口の上縁から入り込んだ水滴がドアスイッチの接点部分に降りかからないように、前記接点部分に対する前記上縁の前後方向および上下方向の位置を定めることができる。
すなわち、可動側の防滴カバーおよび静止側の防滴カバーは、相手側の防滴カバーに対向する開口を有している。
そのため、上方から降りかかった水滴が開口の上縁に付着したまま残っていると、この水滴が防滴カバーの内側に落下してドアスイッチの接点部分に付着するおそれがある。
このとき、可動側および静止側の防滴カバーの開口の上縁の位置を適切に定めることにより、上縁に付着した水滴が落下してドアスイッチの接点部分に付着することを確実に防止できる。
【００１４】
また、請求項６に記載したように、可動側の防滴カバーおよび静止側の防滴カバーについては、上方から降りかかった水滴をその開口から遠ざかる側に受け流すための傾斜面をその上部に設けることができる。
すなわち、可動側の防滴カバーおよび静止側の防滴カバーは、相手側に対向する開口を有している。
そのため、上方から降りかかった水滴が防滴カバーの開口の上縁に付着したまま残っていると、この水滴が防滴カバーの内側に回り込み、ドアスイッチの接点部分に付着するおそれがある。
このとき、上方から降りかかった水滴をその開口分から遠ざかる側に受け流すための傾斜面をその上部に設けておくと、防滴カバーに降りかかった水滴を開口の上縁から速やかに遠ざけることができるので、ドアスイッチの接点部分に水滴が付着することを確実に防止することができる。
【００１５】
また、請求項７に記載したように、防滴カバーには、上方から降りかかった水滴を下方に受け流すための第２の傾斜面をその上部に設けることができる。
すなわち、上方から降りかかった水滴が防滴カバーの上壁に付着したまま残っていると、この水滴が防滴カバーの内側に回り込み、ドアスイッチの接点部分に付着するおそれがある。
このとき、防滴カバーの上壁に第２の傾斜面を設けておくと、防滴カバーに降りかかった水滴を速やかに下方に受け流すことができるので、ドアスイッチの接点部分に水滴が付着することを確実に防止することができる。
【００１６】
なお、請求項８に記載したように、前記防滴カバーには、電気配線を挿通するための挿通孔を設けておくことができる。
そして、この挿通孔に電気配線を挿通した後、防滴カバーと電気配線との間に防水処理を施すことにより、水滴が防滴カバーの内側に回り込んでドアスイッチの接点部分に付着することを確実に防止することができる。
【００１７】
また、請求項９に記載したように、前記防滴カバーには、前記ドアの可動側あるいは静止側に着脱自在に取り付けるための係合部を設けることができる。
これにより、ドアスイッチの保守点検作業を行うときに防滴カバーの取り外しおよび取付を容易に行うことができる。
【００１８】
また、請求項１０に記載したように、前記防滴カバーには、前記ドアスイッチの静止部分に対する前記可動部分のストローク位置を確認するための覗き孔を設けることができる。
すなわち、防滴カバーを鋼板等の不透明な材料から製作した場合には、ドアスイッチの静止部分に対する可動部分のストローク位置が正確であるか否かの確認が困難となる。
このとき、防滴カバーの前壁側の側壁に覗き孔を設けておくことにより、ストローク位置の確認を容易に行うことができる。
なお、この覗き孔から水滴が入り込まないように、防滴カバーの前壁側の側壁をドアスイッチから充分に離間させ、あるいは覗き孔に着脱自在な蓋等を設けることもできる。
【００１９】
また、請求項１１に記載したように、前記防滴カバーは、透明な材料から製造することができる。
これにより、ドアスイッチの静止部分に対する可動部分のストローク位置が正確であるか否かの確認を容易に行うことができる。
【発明の効果】
【００２０】
本発明によれば、ドアスイッチに水等の液体が掛からないように覆うドアスイッチの防滴カバーを提供することにより、ドアスイッチの接点に腐食が発生して作動不良が生じることを確実に防止できる。
【発明を実施するための最良の形態】
【００２１】
以下、図１乃至図１０を参照し、本発明に係るエレベータドアスイッチの防滴カバーについて詳細に説明する。
なお、以下の説明においては、前述した従来技術と同一の部分に同一の符号を用いて重複した説明を省略する。
【００２２】
第１実施形態
まず最初に図１〜図４を参照し、第１実施形態の防滴カバーについて説明する。
【００２３】
図１に示した防滴カバー１００は、ポリカーボネート等の透明樹脂材料から成形した箱状のカバー本体２０を備えている。
このカバー本体２０は、上壁２０ａ，前壁２０ｂ，底壁２０ｃ，左側壁２０ｄ，右側壁２０ｅ，後壁２０ｆを有しており、この後壁２０ｆが図示されないブラケットによってドアマシンベース１に固定されている。
そして、このカバー本体２０は、その内部においてドアスイッチ１０の可動部分１２が往復動するようにその全体的な寸法が定められて、可動部分１２および静止部分１４を全体的に覆っている。
【００２４】
すなわち、このカバー本体２０は、ドアスイッチ１０の可動部分１２および静止部分１４をそのストローク範囲の全体にわたって覆うものであるから、ドアスイッチ１０の接点部分１２ａ，１２ｂ，１４ａ，１４ｂに水滴等が降りかかることを確実に防止できる。
また、カバー本体２０が透明なので、ドアスイッチ１０の静止部分１４に対する可動部分１２のストローク位置が正確であるか否かの確認を容易に行うことができる。
【００２５】
また、図２および図３に示した防滴カバー１１０，１２０のように、カバー本体２０の後壁２０ｆに、いわゆるダルマ孔２１，２１あるいは上下に延びる切り欠き２２，２２を設けることにより、ドアマシンベース１に対する着脱自在な取り付けが可能となる。
これにより、エレベータのドア装置の保守点検作業を行うときに、カバー本体２０をドアマシンベース１から取り外す作業を容易に行うことができる。
【００２６】
一方、図４に示した防滴カバー１３０のように、鋼板等の不透明な材料から製作した場合には、ドアスイッチ１０の静止部分１４に対する可動部分１２のストローク位置が正確であるか否かの確認が困難となる。
このとき、この防滴カバー１３０の前壁に覗き孔２３が設けられているので、ストローク位置の確認を容易に行うことができる。
なお、この覗き孔２３から水滴が入り込まないように、防滴カバー１３０の前壁をドアスイッチ１０から前側に充分に離間させ、あるいは覗き孔２３に着脱自在な蓋等を設けることができる。
【００２７】
第２実施形態
まず最初に図５〜図１０を参照し、第２実施形態の防滴カバーについて説明する。
【００２８】
図５に示した防滴カバー２００は、ドアスイッチ１０の静止部分１４を覆う静止側のカバー本体３１と、ドアスイッチ１０の可動部分１２を覆う可動側のカバー本体３２とを備えている。
【００２９】
静止側のカバー本体３１は、ポリカーボネート等の透明樹脂材料から成形されたもので、上壁３１ａ，前壁３１ｂ，底壁３１ｃ，左側壁３１ｄ，後壁３１ｅを有しており、可動側のカバー本体３２に対向する部分は開口となっている。
そして、図示されないブラケットにより、後壁３１ｅがドアマシンベース１に固定されている。
【００３０】
可動側のカバー本体３２は、ポリカーボネート等の透明樹脂材料から成形されたもので、上壁３２ａ，前壁３２ｂ，底壁３２ｃ，右側壁３２ｄ，後壁３２ｅを有しており、静止側のカバー本体３１に対向する部分は開口となっている。
そして、図示されないブラケットにより、後壁３２ｅがハンガブラケット７に固定されている。
【００３１】
すなわち、本第２実施形態の防滴カバー２００は、ドアスイッチ１０の静止部分１４および可動部分１２を個別に覆う構造であるため、ドア装置の可動部分との干渉を回避しつつ、ドアスイッチ１０の接点部分１２ａ，１２ｂ，１４ａ，１４ｂに水滴等が付着することを確実に防止できる。
【００３２】
また、ドアスイッチ１０の静止部分１４に対して可動部分１２が接近したときに、静止側のカバー本体と可動側のカバー本体とが干渉しないように、例えば図６に示した変形例の防滴カバー２１０のように、静止側のカバー本体３３の内側に可動側のカバー本体３４が入り込む構造とすることができる。
これとは反対に、可動側のカバー本体３４の内側に静止側のカバー本体３３が入り込む構造とすることもできる。
【００３３】
なお、静止側のカバー本体３１および可動側のカバー本体３２は、ドアスイッチ１０の可動部分１２がオーバーストロークして静止部分１４に衝突する前に、互いに衝突するように構成することができる。
これにより、例えばドア開閉ロープが切断したことによってドアスイッチ１０の可動部分１２がオーバーストロークし、ドアスイッチ１０の静止部分１４に衝突する前に、静止側のカバー本体３１と可動側のカバー本体３２とが互いに衝突するから、ドアスイッチ１０の可動部分１２が静止部分１４に衝突して破損することを確実に防止できる。
【００３４】
ところで、図５および図６に示した防滴カバー２００，２１０においては、静止側のカバー本体３１，３３、および可動側のカバー本体３２，３４は、いずれも相手側のカバー本体に対向する開口を有している。
そのため、上方から降りかかった水滴がこの開口の上縁に付着してカバー本体の内側に落下すると、ドアスイッチの接点部分に付着するおそれがある。
【００３５】
そこで、図７に示した可動側のカバー本体３５においては、ドアスイッチの接点部分１２ｂに対する上縁３５ｂの前後方向の寸法Ｘおよび上下方向の寸法Ｙを適切に定めることにより、ドアスイッチの接点部分１２ｂから上縁３５ｂを見上げたときの仰角αを所定値より大きく設定している。
これにより、ドアスイッチ１０の可動部分１２のストロークに伴ってカバー本体３５が図示左側に移動し、上縁３５ｂに付着した水滴がカバー本体３５の内側に落下しても、ドアスイッチの接点部分１２ｂに付着することがない。
【００３６】
これに対して、図８に示した可動側のカバー本体３６は、上方から降りかかった水滴をその開口３６ａから遠ざかる側に受け流すための傾斜面３６ｂがその上壁３６ｃに連設されている。
これにより、このカバー本体３６のうち開口３６ａに降りかかった水滴を、開口２６ａの上縁から速やかに遠ざけることができるので、ドアスイッチ１０の可動部分１２の接点部分１２ａ，１２ｂに付着することを確実に防止できる。
さらに、このカバー本体３６の下壁３６ｄのうち開口３６ａの側に傾斜面３６ｅが連設されているため、このカバー本体３６のうち開口３６ａに降りかかった水滴を速やかに下方に受け流すことができる。
【００３７】
さらに、図９に示した可動側のカバー本体３７のように、上方から降りかかった水滴を下方に受け流すための第２の傾斜面３７ａをその上部に設けることができる。
すなわち、上方から降りかかった水滴がカバー本体３７の上壁に付着したまま残っていると、この水滴がカバー本体３７の内側に回り込み、ドアスイッチの接点部分に付着するおそれがある。
このとき、このカバー本体３７の上部に第２の傾斜面３７ａが設けられているので、防滴カバーに降りかかった水滴は、図９中に矢印で示すように速やかに下方に流れることとなり、ドアスイッチの接点部分に付着することを確実に防止ができる。
【００３８】
また、図９に示した静止側のカバー３８は、上壁３８ａ，前壁３８ｂ，底壁３８ｃ，左側壁３８ｄ、後壁３８ｅを有しているが、その左側壁３８ｄには、ドアスイッチ１０の可静止部分１４に延びる電線Ｗを挿通するための挿通孔３８ｆが貫設されている。
そして、この挿通孔３８ｆに電線Ｗを挿通した後、左側壁３８ｄと電線Ｗとの間に防水処理を施すことにより、水滴がこのカバー本体３８の内側に回り込んでドアスイッチ１０の接点部分に付着することを確実に防止できる。
【００３９】
以上、本発明に係るエレベータドアスイッチの各実施形態およびその変形例について詳しく説明したが、本発明は上述した実施形態等によって限定されるものではなく、種々の変更が可能であることは言うまでもない。
例えば、上述した第１および第２実施形態の防滴カバーにおいては、いずれも各カバー本体に底壁および後壁が設けられているが、これらの底壁および後壁を持たない構造とすることもできる。
【図面の簡単な説明】
【００４０】
【図１】第１実施形態の防滴カバーを示す斜視図。
【図２】変形例の防滴カバーを示す正面図。
【図３】変形例の防滴カバーを示す正面図。
【図４】変形例の防滴カバーを示す正面図。
【図５】第２実施形態の防滴カバーを示す斜視図。
【図６】変形例の防滴カバーを示す正面図。
【図７】変形例の防滴カバーを示す正面図。
【図８】変形例の防滴カバーを示す正面図。
【図９】変形例の防滴カバーを示す正面図。
【図１０】変形例の防滴カバーを示す斜視図。
【図１１】ドアスイッチの取付構造を示すかごドアの正面図。
【図１２】ドアスイッチの取付構造を拡大して示す正面図。
【図１３】ドアスイッチの構造を示す断面図。
【符号の説明】
【００４１】
３Ｌ，３Ｒ  かごドア  
１０Ｌ，１０Ｒ  ドアスイッチ
１２  可動部分
１２ａ，１２ｂ  棒状短絡端子
１４  静止部分
１５ａ，１５ｂ  接点
１６ａ，１６ｂ  ばね状電極
２０  カバー本体
２１  ダルマ孔
２２  切り欠き
２３  覗き孔
３１  静止側のカバー本体
３２  可動側のカバー本体
３３  静止側のカバー本体
３４  可動側のカバー本体
３５  変形例のカバー本体
３６  変形例のカバー本体
３７  変形例のカバー本体
３８  変形例のカバー本体
１００  第１実施形態の防滴カバー
２００  第１実施形態の防滴カバー
【図１】
2010208728.tif 000003
【図２】
2010208728.tif 000004
【図３】
2010208728.tif 000005
【図４】
2010208728.tif 000006
【図５】
2010208728.tif 000007
【図６】
2010208728.tif 000008
【図７】
2010208728.tif 000009
【図８】
2010208728.tif 000010
【図９】
2010208728.tif 000011
【図１０】
2010208728.tif 000012
【図１１】
2010208728.tif 000013
【図１２】
2010208728.tif 000014
【図１３】
2010208728.tif 000015